(57)【特許請求の範囲】
【請求項１】
軒樋に装着される集水器本体と集水器本体に対して回動自在に取り付けられる飾り体とを備え、飾り体への積雪荷重によって回動する回動機構により飾り体が回動して雪を落下させることを特徴とする集水器。
【請求項２】
回動機構が、飾り体の左右の側板に設けられた軒樋挿通部と、
集水器本体に対して飾り体を回動自在に取付可能ならしめるスライド回動部と、
飾り体の回動時に集水器本体の雨水排水部が逃げる開口部と、
飾り体の回動を抑制する回動ストッパーと、
その正面板に設けられた受け板とを備えていることを特徴とする請求項１に記載の集水器。
【発明の詳細な説明】
【技術分野】
【０００１】
本願発明は、積雪地における使用に適した集水器に関するものである。
【背景技術】
【０００２】
従来、住宅等の建物の軒先には、軒樋とこれを流れる雨水を集めて下方に流す集水器とがしばしば取り付けられている（たとえば特許文献１，２，３参照）。
【特許文献１】特開昭６１−１２４５３０号公報
【特許文献２】特開昭６３−８５７３７号公報
【特許文献３】特開昭６２−７１２８号公報
【発明の開示】
【発明が解決しようとする課題】
【０００３】
他方、積雪地においては、集水器に雪が溜まり、その重みで集水器が破損する恐れがあった。
【０００４】
上記特許文献２には、この破損を防ぐことを目的として、集水器に補強材を取り付けることが記載され、上記特許文献３には、集水器の上方を覆う保護板を着脱自在に屋根軒先に取り付けることが記載されている。
【０００５】
本願発明は、これら従来技術とは全く異なるさらに別の、積雪による破損を防ぐことのできる集水器を提供することを課題としている。
【課題を解決するための手段】
【０００６】
本願発明の集水器は、上記の課題を解決するものとして、第１には、軒樋に装着される集水器本体と集水器本体に対して回動自在に取り付けられる飾り体とを備え、飾り体への積雪荷重によって回動する回動機構により飾り体が回動して雪を落下させることを特徴とする。
【０００７】
第２には、回動機構が、飾り体の左右の側板に設けられた軒樋挿通部と、集水器本体に対して飾り体を回動自在に取付可能ならしめるスライド回動部と、飾り体の回動時に集水器本体の雨水排水部が逃げる開口部と、飾り体の回動を抑制する回動ストッパーと、その正面板に設けられた受け板とを備えていることを特徴とする。
【発明の効果】
【０００８】
上記のとおりの特徴を有する本願発明によれば、集水器が集水器本体と飾り体との２部材で構成されており、且つ飾り体が集水器本体に対して回動自在とされていることで、積雪時の雪の重みによって飾り体が回動して雪を落とすことができ、これにより、積雪による集水器本体の破損を防ぐことができるようになる。
【発明を実施するための最良の形態】
【０００９】
図１〜図３は、本願発明の一実施形態を示したものである。
【００１０】
まず、集水器本体１は、軒樋３（図２参照）からの雨水を集めて下方に流す容器状構造を有しており、その左右の側板１１に設けられた軒樋嵌合部１２、次述の飾り体２を回動自在に取付可能ならしめるスライド回動部１３、および雨水を外部に流す雨水排水部１４を備えている。
【００１１】
軒樋嵌合部１２は、軒樋３と嵌合して軒樋３に装着できるように、軒樋３の断面形状に沿った断面形状を有している。図１および図２では、断面半円状の軒樋３に対して断面半円状に開口したものとなっており、さらに、軒樋３の上端部３１が嵌合される嵌合凹部１２１を有している。
【００１２】
スライド回動部１３は、軒樋嵌合部１２の開口形状に沿って、左右の側板１１の外側面に突出して設けられており、さらに、図３にも例示したように、次述の飾り体２に設けられたスライド回動部２３と嵌合する溝状のスライドガイド部１３１を有している。
【００１３】
雨水排水部１４は、集水器本体１を構成する集水板１０の底部分から排水管体を垂下して設けられている。
【００１４】
一方、飾り体２は、集水器本体１に対して回動自在に取り付けられる形状構造を有しており、その左右の側板２１に設けられた軒樋挿通部２２、集水器本体１に対して飾り体２を回動自在に取付可能ならしめるスライド回動部２３、飾り体２の回動時に集水器本体１の雨水排水部１４が逃げる開口部２４、積雪のない通常時の飾り体２の回動を抑制する回動ストッパー２５、およびその正面板２０に設けられた受け板２６を備えている。
【００１５】
軒樋挿通部２２は、集水器本体１の軒樋嵌合部１２に嵌合された軒樋３が通るように、軒樋３の断面形状に沿った断面形状を有している。図１および図２では、上記軒樋嵌合部１２と同様に、断面半円状に開口したものとなっている。
【００１６】
スライド回動部２３は、軒樋挿通部２２の開口形状に沿って、左右の側板２１の外側面に突出して設けられており、さらに、集水器本体１のスライド回動部１３と嵌合するスライドレール部２３１を有している。図３に例示したようにこのスライドレール部２３１が、上記スライド回動部１３のスライドガイド部１３１に嵌まり、これに沿ってスライド回動する。
【００１７】
開口部２４は、飾り体２を構成する正面板２０に、その回動時に集水器本体１の雨水排水部１４が正面板２０にぶつかることのないように開口した形状として設けられている。
【００１８】
回動ストッパー２５は、正面板２０の上端部に飾り体２の内方に突出して設けられており、飾り体２が集水器本体１と合体した状態で、集水器本体１の集水板１０の正面上端部が引っ掛る状態となり、積雪により飾り体２が回動するときに積雪荷重により集水器本体１を乗り越えて引っ掛り状態が外れるようになっている。
【００１９】
受け板２６は、正面板２０の上端部から上方に立ち上がり、且つ正面外方に適度に傾斜して設けられており、ある程度の雪を受けることができる形状となっている。この受け板２６への積雪が飾り体２の回動動作のトリガーになるといえる。
【００２０】
以上のとおりの集水器本体１および飾り体２は、スライド回動部１３，２３を介してスライド回動自在に合体し、１つの集水器を構成する。
【００２１】
そして、図２に例示したように、この集水器と軒樋３とを装着し、より具体的には集水器本体１の軒樋嵌合部１２の嵌合凹部１２１と軒樋３の上端部３１を装着させて固定しておき、その状態で積雪が生じたときには、飾り体２の受け板２６に積もった雪の重みが受け板２６からスライド回動部２３に伝わり、回動ストッパー２５がはずれて、集水器本体１のスライド回動部１３を軸にして受け板２６とともに飾り体２がぐるりと回動することとなる。回動動作は、自由状態のスライド回動部２３のスライドレール部２３１が固定状態のスライド回動部１３のスライドガイド部１３１に沿ってスライド回動することにより行われる。
【００２２】
これにより、受け板２６は、軒樋３および集水器が取り付けられている建物（図示無し）から離れる方向に回動し、これにつられて雪が外側に落とされることとなり、積雪の重みが軽減されて集水器の破損を効果的に防ぐことができるようになる。
【００２３】
積雪季節を過ぎた後は、飾り体２を元の位置にスライド回動させて戻すことができる。
【図面の簡単な説明】
【００２４】
【図１】本願発明の一実施形態を示した分解斜視図。
【図２】飾り体の動作について説明するための図。
【図３】回動機構の拡大図。
【符号の説明】
【００２５】
１  集水器本体
１０  集水板
１１  側板
１２  軒樋嵌合部
１２１  嵌合凹部
１３  スライド回動部
１３１  スライドガイド部
１４  雨水排水部
２  飾り体
２０  正面板
２１  側板
２２  軒樋挿通部
２３  スライド回動部
２３１  スライドレール部
２４  開口部
２５  回動ストッパー
２６  受け板
３  軒樋
３１  上端部
【図１】
0004687419.tif 000002
【図２】
0004687419.tif 000003
【図３】
0004687419.tif 000004